(57)【要約】【課題】しゃがんだり、座ったりした際に生じる衣服圧を低減することで、着用者に生じる窮屈感や違和感を生じさせない作業ズボンを提供する。【解決手段】本考案の作業ズボン１は、前身頃２と後身頃３とが縫合されることで、左右両側に繋ぎ目４，５が形成されており、後身頃３の股上部７、かつウエスト部８よりも下方に伸縮部６が設けられ、この伸縮部６が左側の繋ぎ目４から右側の繋ぎ目５まで連なって形成されている構成をとる。【選択図】図１
0003213134.tif 000002
【実用新案登録請求の範囲】
【請求項１】
前身頃と後身頃とが縫合されることで、左右両側部に繋ぎ目が形成されているズボンであって、
前記後身頃の股上部、かつウエスト部よりも下方に伸縮部が設けられ、
この伸縮部が、左側部の前記繋ぎ目から右側部の前記繋ぎ目まで連なって形成されている、
ことを特徴とする作業ズボン。
【請求項２】
前記伸縮部は、メッシュ状の素材であり、帯状に形成されている、
ことを特徴とする請求項１又は請求項２に記載の作業ズボン。
【請求項３】
前記伸縮部の上端部と前記ウエスト部の下端部との間隔が３ｃｍ以上である、
ことを特徴とする請求項２に記載の作業ズボン。
【請求項４】
前記伸縮部の短手方向の幅が、２ｃｍから５ｃｍである、
ことを特徴とする請求項２又は請求項３に記載の作業ズボン。
【請求項５】
前記ウエスト部の左右両側部に、伸縮性を有するウエストバンドが、腰回り方向にそれぞれ形成されている、
ことを特徴とする請求項１から請求項４の何れか１項に記載の作業ズボン。
【考案の詳細な説明】
【技術分野】
【０００１】
本考案は、窮屈感や違和感を低減できる作業ズボンに関するものである。
【背景技術】
【０００２】
作業現場の作業者は、通常、ズボンを履いて作業を行っている。特に、機械を使用する現場では、安全性の観点から、伸縮性に乏しい厚手の生地で構成されたズボンを着用している。ズボンが伸縮性に乏しい生地で構成されていると、着用者がしゃがんだり、座ったりしたときに、生地が強引に伸張され、着用者の皮膚を圧迫する力である衣服圧が生じる。この衣服圧が、足や腰部に生じると、着用者に窮屈感や違和感を生じさせる。着用者は、大きな窮屈感や違和感が生じると、作業に集中できず、円滑に作業を進めることができなくなるおそれがある。
【０００３】
これまでに、伸縮性の素材を腰部に設けることで、着用者がしゃがんだり、座ったりした場合でも、動きやすく、腰部が圧迫されることを低減できる作業ズボンが開示されている（例えば、特許文献１）。
特許文献１のズボンは、着用者の腰部に対応する部位で、上端縁がベルト布に接合され、下端縁が後身頃に接合された伸縮性生地と、横方向に伸びた折り目のところで折り返されてひだ状に形成され、伸縮性生地に重なるようにして、上端縁がベルト布に接合され、下端縁が後身頃に接合された覆い布とを有している。この伸縮性生地は、腰回りの一部に設けられている。特許文献１のズボンは、上記の構成を備えることで、従来の通常のズボンに対して、変更部が目立ちにくい態様で、動きやすいことに加え、長時間の着用に耐えることができる。
【先行技術文献】
【特許文献】
【０００４】
【特許文献１】特開２０１６−１６９４７０号公報
【考案の概要】
【考案が解決しようとする課題】
【０００５】
特許文献１のズボンにおいて、伸縮性生地は、腰部分の腰回りの一部に設けられているため、ズボンのサイズによって、この伸縮性生地のサイズや設ける範囲を変更する必要があり、設計に手間がかかる。
また、現在、従来のズボンよりも、さらに衣服圧を低減させ、着用者に窮屈感や違和感を生じさせない機能を有するズボンが求められている。
【０００６】
そこで、本考案は、しゃがんだり、座ったりした際に生じる衣服圧を低減することで、着用者に生じる窮屈感や違和感を生じさせない作業ズボンを提供することを目的とする。
【課題を解決するための手段】
【０００７】
本考案の作業ズボンは、前身頃と後身頃とが縫合されることで、左右両側に繋ぎ目が形成されており、後身頃の股上部、かつウエスト部よりも下方に伸縮部が設けられ、この伸縮部が左側部の繋ぎ目から右側部の繋ぎ目まで連なって形成されていることを特徴とする。
【０００８】
本考案の作業ズボンは、伸縮部がメッシュ状の素材であり、帯状に形成されていることを特徴とする。
【０００９】
本考案の作業ズボンは、伸縮部の上端部とウエスト部の下端部との間隔が３ｃｍ以上であることを特徴とする。
【００１０】
本考案の作業ズボンは、伸縮部の短手方向の幅が２ｃｍから５ｃｍであることを特徴とする。
【００１１】
本考案の作業ズボンは、ウエスト部の左右両側部に、伸縮性を有するウエストバンドが、腰回り方向にそれぞれ形成されていることを特徴とする。
【考案の効果】
【００１２】
本考案の作業ズボンは、着用者がしゃがんだり、座ったりした際に、後身頃の股上部、かつウエスト部よりも下方に設けられた伸縮部が伸張する。この伸縮部は、左側の繋ぎ目から右側の繋ぎ目まで連なって形成されているため、腰回り全体が主として着丈方向に伸張され、腰回り全体の衣服圧が低減される。
したがって、作業ズボンは、しゃがんだり、座ったりした際に、着用者に窮屈感や違和感を生じさせず、着用者は、快適に、かつ円滑に作業を行うことができる。
【００１３】
また、本考案の作業ズボンは、メッシュ状の伸縮部が使用され、メッシュ孔を介して、作業ズボンの内側に籠もった熱が外側に排出される。そのため、着用者に不快感を生じさせない。
本考案の作業ズボンは、伸縮部の上端部とウエスト部の下端部との間隔が３ｃｍ以上であることが好ましい。さらに、本考案の作業ズボンは、伸縮部の短手方向の幅が２ｃｍから５ｃｍであることが好ましい。上記の伸縮部の上端部とウエスト部の下端部との間隔や伸縮部の短手方向の幅とすることで、しゃがんだり、座ったりした際に、着用者に窮屈感や違和感を生じさせず、着用者は、より快適に、かつ円滑に作業を行うことができる。
【００１４】
さらに、本考案の作業ズボンは、ウエスト部の左右両側部に、伸縮性を有するウエストバンドが、腰回り方向にそれぞれ形成されていることが好ましい。ウエストバンドが設けられていることで、着用者が、しゃがんだり、座ったりした際に、ウエストバンドが腰回り方向に伸張し、ウエスト部に衣服圧を生じさせない。そのため、着用者に窮屈感や違和感を生じさせず、着用者は、快適、かつ円滑に作業をすることができる。
【図面の簡単な説明】
【００１５】
【図１】本考案の実施形態に係る作業ズボンの展開図である。
【図２】本考案の実施形態に係る作業ズボンの背面図である。
【図３】本考案の実施形態に係る作業ズボンの左側面図である。
【図４】本考案の実施形態に係る作業ズボンの展開図のＡ−Ａ断面図である。
【図５】本考案の実施形態に係る作業ズボンの使用状態を説明するための図である。
【図６】本考案の実施形態に係る他の例の作業ズボンの背面図である。（ａ）背面図、（ｂ）正面図
【考案を実施するための形態】
【００１６】
本実施形態に係る作業ズボンを、図１〜図６を参照し、説明する。
本実施形態の作業ズボン１（以下、ズボン１と記す。）は、図１に示すように、前身頃２と後身頃３とが縫合されることで、ズボン１の左側（左側部）に繋ぎ目４、右側（右側部）に繋ぎ目５が形成されている。そして、後身頃３の腰部分に伸縮部６が設けられている。この前身頃２と後身頃３には、伸縮性に乏しい生地、例えば、布生地が使用される。
【００１７】
伸縮部６は、図２に示すように、後身頃３の股上部７、かつウエスト部８（腰バンド部）よりも下側に設けられている。伸縮部６は、帯状に形成されており、繋ぎ目４から繋ぎ目５まで連なって設けられている。そのため、図３に示すように、ズボン１には、腰回りの途中から背面側に、伸縮部６が形成されている。
ウエスト部８には、腰回りに沿って、複数のベルト通し部９が設けられている。
【００１８】
伸縮部６には、メッシュ状の伸縮性を有する生地を使用できる。メッシュ状の伸縮部６は、メッシュ孔を有し、伸縮部６が伸張されていない状態では、メッシュ孔の開きは小さい、あるいは、メッシュ孔はほぼ閉じた状態となる。一方、伸縮部６が伸張された状態では、メッシュ孔の開きは大きくなる。このメッシュ孔はズボン１の内側と外側との通気孔の役割を担う。
【００１９】
伸縮部６は、図４に示すように、上端部６Ａが後身頃３の上端部分３Ａと縫合され、下端部６Ｂが後身頃３の下端部分３Ｂと縫合されることで、後身頃３に固定されている。
上端部分３Ａ及び下端部分３Ｂは、布地が折り返されて二重になっている。伸縮部６は、上端部分３Ａ及び下端部分３Ｂの内側に縫合されている。
伸縮部６の両端部は、繋ぎ目４，５が形成される際に、前身頃２と後身頃３とともに縫合される。
股上部７には、左右にポケット部１０が形成されており、伸縮部６は、着丈方向Ｙにおいて、ポケット部１０よりも上側に形成されている（図２）。このポケット部１０は、後身頃３の外側に生地をあて、縫合されることで形成されている。なお、ポケット部１０は、後身頃３の内側に形成し、玉縁ポケットとすることもできる。
【００２０】
本実施形態のズボン１において、伸縮部６の上端部６Ａとウエスト部８の下端部８Ａとの間隔Ｄと、着用者に生じる窮屈感や違和感との関係について検討した。間隔Ｄは、０ｃｍから４ｃｍの範囲として、着用者に生じる窮屈感や違和感について検討した。
検討した結果、間隔Ｄが０ｃｍから２ｃｍの場合、着用者に生じる窮屈感や違和感は、解消されなかった。一方、間隔Ｄが３ｃｍ、４ｃｍの場合、着用者に生じる窮屈感や違和感が低減された。この結果から、伸縮部６は、間隔Ｄが３ｃｍ以上となる位置に設けられていることが好ましいことが分かった。
本実施形態のズボン１において、伸縮部６は、間隔Ｄが４ｃｍとなる位置に設けられている。
【００２１】
この伸縮部６の短手方向の幅Ｗは、所定の幅に設計することができるが、この幅Ｗは２ｃｍから５ｃｍが好ましく、３ｃｍが最も好ましい。
幅Ｗが、２ｃｍ以下に設計されていると、所望の伸縮性を得られないおそれがある。伸縮部６の幅Ｗが小さい、つまり伸縮部６の面積が小さくなると、メッシュ孔が少なくなり、所望の通気性が得られなくなる。
一方、幅Ｗが５ｃｍ以上に設計されていると、股上部７に伸縮部６が占める面積が大きくなり、外観上好ましくない。さらに、幅Ｗが大きすぎると、ポケット部１０と緩衝してしまうおそれがある。
なお、幅Ｗは、一定である必要はなく、例えば、伸張される力が大きく加わる部分は、伸縮部６の幅Ｗを大きくする等、幅Ｗを適宜変更できる。
【００２２】
次に、本実施形態のズボン１の作用効果について説明する。
ズボン１は、ベルト通し部９にベルトを通し、腰部分でベルトをしめ、着用される。
本実施形態のズボン１において、後身頃３の股上部７かつ、繋ぎ目４から繋ぎ目５まで連なって伸縮部６が設けられている。ズボン１の着用者がしゃがんだり、座ったりした場合に、図５に示すように、伸縮部６が着丈方向Ｙに伸張する。
そうすると、腰回り全体が着丈方向Ｙに伸張するため、腰回り全体の衣服圧が低減される。そのため、伸縮部が腰回りの一部に設けられたズボンと比較すると、ズボン１の着用者がしゃがんだり、座ったりしたときに、着用者に窮屈感や違和感を生じさせず、ズボン１の着用者は、円滑に作業をすることができる。
【００２３】
上述した通り、伸縮部６がウエスト部８から３ｃｍ以上離れた位置に伸縮部６が設けられていると、着用者がしゃがんだり、座ったりする際に、着用者に生じる窮屈感や違和感を大幅に低減できる。
本実施形態のズボン１では、間隔Ｄが４ｃｍの位置に伸縮部６が設けられているため、ズボン１の着用者に窮屈感や違和感を生じさせず、着用者は、快適、かつ円滑に作業をすることができる。
【００２４】
本実施形態のズボン１の伸縮部６は、メッシュ孔を有している。このメッシュ孔は、通気孔として機能し、このメッシュ孔を介して、ズボン１の内側の熱が外側に放出される。
ズボン１の股上部７の内側には、熱が籠もりやすく、この籠もった熱が、メッシュ孔を介して、ズボン１の外側に放出されると、着用者に不快感を生じさせず、着用者は快適に作業を行うことができる。
【００２５】
伸縮部が腰回りの一部に設けられたズボンの作製工程では、前身頃と後身頃を縫合する工程と、後身頃の一部の範囲に伸縮部を縫合する工程を含む。
一方、本実施形態のズボン１の作製工程では、伸縮部６は、前身頃２と後身頃３とを縫合する工程の中で、前身頃２と後身頃３と共に縫合される。
そのため、ズボン１は、伸縮部が腰回りの一部に設けられたズボンを作製する場合と比較し、手間をかけずに容易に作製することができる。
【００２６】
次に、ズボン１の他の例であるズボン２０について、説明する。なお、ズボン１と同様な構成については、説明を省略する。
ズボン２０は、図６（ａ）に示すように、ウエスト部８の両脇部分にウエストバンド２１が設けられ、さらに、後身頃３のウエスト部８には、ベルト通し部９が複数設けられている。また、図６（ｂ）に示すように、前方の前身頃２のウエスト部８においても、ベルト通し部９が複数設けられている。
ウエストバンド２１は、例えば、ゴムバンドが使用され、着用者のウエストのサイズに合わせて伸縮する。ウエストバンド２１を設ける範囲は、腰回り方向において、両脇部を覆う範囲であればよい。
このズボン２０は、しゃがんだり、座ったりした際に、両脇のウエストバンド２１が腰回り方向に伸張することで、ウエスト部８に衣服圧を生じさせない。そのため、ズボン２０の着用者に窮屈感や違和感を生じさせず、着用者は、快適、かつ円滑に作業をすることができる。
なお、ウエストバンド２１がベルトの役割を担うこともできるため、ベルトを使用せずに容易に着用することができる。
【００２７】
以上、本実施形態について説明したが、これ以外にも、本考案の主旨を逸脱しない限り、上記実施の形態で挙げた構成を取捨選択したり、他の構成に適宜変更することが可能である。
例えば、前身頃２と後身頃３とが縫合されずに作製されるズボンでは、ズボン１の繋ぎ目４に相当する位置から繋ぎ目５に相当する位置まで伸縮部６を設けることで、本実施形態のズボン１と同様な効果を生じさせることができる。
また、本実施形態では、長ズボンを例として説明したが、しゃがんだりした場合に足や腰部に衣服圧が生じるものであれば、長ズボンに限定されない。
【符号の説明】
【００２８】
１      作業ズボン（ズボン）
２      前身頃
３      後身頃
３Ａ    上端部分
３Ｂ    下端部分
４，５      繋ぎ目
６      伸縮部
６Ａ    上端部
６Ｂ    下端部
７      股上部
８      ウエスト部
８Ａ    上端部
９      ベルト通し部
１０    ポケット部
２０    ズボン
２１    ウエストバンド
Ｄ      間隔
Ｗ      幅（伸縮部の短手方向における幅）
Ｘ      幅方向
Ｙ      着丈方向
【図１】
0003213134.tif 000003
【図２】
0003213134.tif 000004
【図３】
0003213134.tif 000005
【図４】
0003213134.tif 000006
【図５】
0003213134.tif 000007
【図６】
0003213134.tif 000008